(57)【特許請求の範囲】
【請求項１】
地盤上に設けられた砂入り人工芝へ給水するための地表層への水供給構造であって、
前記砂入り人工芝を構成する人工芝の基布の上に設置された給水管と、
該給水管を上から覆うように、互いに間隔をおいて前記基布上に敷設された複数の帯状の導水性シートとを備え、
前記人工芝のパイルは前記基布から前記帯状の導水性シートの間隔部分を通して上方に延び、
前記導水性シートの上から前記パイルの間に前記砂入り人工芝の砂が被せられていることを特徴とする地表層への水供給構造。
【請求項２】
前記給水管は、前記人工芝の砂の厚さの半分以下の直径を有することを特徴とする請求項１記載の地表層への水供給構造。
【発明の詳細な説明】
【０００１】
【発明の属する技術分野】
本発明は、例えば各種競技場のグラウンド等の地表層を湿潤させるうえで好適な地表層への水供給構造に関する。
【０００２】
【従来の技術】
従来より、例えば、特開２０００−２４０００５号公報に開示されるように、陸上競技場やテニスコード等のグラウンドを湿潤させるための水供給構造が知られている。この水供給構造では、砂入り人工芝が敷設されたグラウンドの乾燥や温度上昇を抑えて湿潤状態を維持できるように、人工芝の下に織布や不織布などの導水性シートを敷設し、導水性シートに給水管から給水している。そして、この給水管は、グラウンド上での競技の支障とならないように競技区域外のグラウンド端部に設置される。
【０００３】
【発明が解決しようとする課題】
しかしながら、導水性シートの導水能力には限りがあるため、給水管をグラウンド端部に設置すると、グラウンド中央部まで十分な水を供給できないおそれがある。また、グラウンド中央部まで十分な水を供給しようとすると、多量の水を給水管から導水性シートに与えることが必要となる。この場合、導水性シート端部では水が過剰となって水が浮いてくるなどの不都合が生じ、また、水の使用量も大きくなってしまう。
【０００４】
また、上記公報には、給水管を地表に設けた溝内に埋設して、給水管の直上でのグラウンド面を平坦にすることも開示されている。しかしながら、通水管埋設時に溝を埋め戻す際に、表面を完全に平坦にするのは難しい。このため、通水管を埋設した溝の跡が砂入り人工芝の表面に浮き出てしまい、この部分でボール等への反発係数が変化して、やはり競技に支障を与えてしまうので、競技区域内に設置できないことになる。
【０００５】
本発明は、上記の点に鑑みてなされたものであり、導水性シートへ給水するための給水管が、地表面上で行なわれる各種の競技の支障となるのを抑えることが可能な地表層への水供給構造を提供することを目的とする。
【０００６】
【課題を解決するための手段】
上記の目的は、請求項１に記載する如く、地盤上に設けられた砂入り人工芝へ給水するための地表層への水供給構造であって、
前記砂入り人工芝を構成する人工芝の基布の上に設置された給水管と、
該給水管を上から覆うように、互いに間隔をおいて前記基布上に敷設された複数の帯状の導水性シートとを備え、
前記人工芝のパイルは前記基布から前記帯状の導水性シートの間隔部分を通して上方に延び、
前記導水性シートの上から前記パイルの間に前記砂入り人工芝の砂が被せられていることを特徴とする水供給構造により達成される。
【０００７】
請求項１記載の発明によれば、給水管を上から覆うように導水性シート部材を敷設するので、給水管は導水性シート部材により上から押さえ付けられることになる。このため、給水管が地表面上で行なわれる球技等の競技の支障とならないように給水管として細管を用いても、給水管の浮き上がりを防止することができる。したがって、本発明によれば、導水性シートへ給水するための給水管が、地表面上で行なわれる各種競技の支障となるのを抑えることができる。
【０００９】
また、導水性シートから砂入り人工芝へ水が供給されるので、砂入り人工芝を湿潤状態に保つことができる。また、導水性シート部材の上から砂が被せられるので、給水管が地表面上での競技に及ぼす支障をより効果的に抑えることができる。
【００１０】
また、請求項２に記載された発明は、請求項１記載の地表層への水供給構造において、前記給水管は、前記人工芝の砂の厚さの半分以下の直径を有することを特徴とする。
【００１１】
【発明の実施の形態】
図１は本発明の一実施形態である地表層への水供給構造を示す。本実施形態の地表層への水供給構造は、例えばテニスコート、サッカー場、野球場、陸上競技場等の各種競技場の砂入り人工芝のグラウンド１０を湿潤させるものである。図１に示す如く、グラウンド１０は、例えばアスファルトコンクリート等からなる舗装層１２の表面に人工芝１４を設け、この人工芝１４のパイルの間に砂１６を敷き詰めて構成されている。
【００１２】
人工芝１４の基盤の上には、極細の給水管１８が設置されていると共に、給水管１８を上から覆うように織布や不織布等の導水性に富んだ導水性シート２０が敷設されている。そして、この導水性シート２０の上には、砂入り人工芝の砂１６が被せられている。なお、給水管１８の直径は、給水管１８が砂入り人工芝の表面に影響を与えないように、砂１６の厚さに対して半分〜４分の１以下の値とする。本実施形態では、例えば、砂１６の厚さが２０ｍｍの場合に直径３〜５ｍｍ程度、砂１６の厚さが４０ｍｍの場合に直径１０ｍｍ程度としている。
【００１３】
給水管１８は、例えば、多数の給水穴を有する点滴パイプであり、不図示の水源から内部に供給された水を、給水穴を通して導水性シート２０へ供給する。ただし、給水管１８として、点滴パイプの代わりに、例えば磁器製パイプや布製パイプのように外周面全周から水がしみ出るようなパイプを用いてもよい。
【００１４】
図２は、給水管１８および導水性シート２０の配置を示す平面図である。同図に示すように、導水性シート２０は全面に敷き詰められるのではなく、帯状に形成された導水性シート２０が、給水管１８を上から押さえ付けて浮き上がりを防止できる程度の適宜な間隔で設けられている。
【００１５】
以上の構成によれば、給水管１８から導水性シート２０に供給された水は、導水性シート２０の毛管現象により水平方向に浸透する。これにより、人工芝１４のパイルの隙間に充填された砂１６を湿潤させ、グラウンド１０の表面の乾燥、高温化を防止することができる。
【００１６】
また、給水管１８として極細のパイプを用いているので、この給水管１８がグラウンド１０上での各種競技に及ぼす支障はほとんどない。また、このように給水管１８として極細のパイプを用いた場合には給水管１８が浮き上がりやすくなるが、本実施形態では、給水管１８を覆うように導水性シート２０を敷設して上から押さえ付けているので、給水管１８の浮き上がりを防止できる。したがって、本実施形態によれば、導水性シート２０へ給水する給水管１８がグラウンド１０上で行なわれる競技の支障となるのを抑えることができる。
【００１７】
また、給水管１８の設置部分に生ずる導水性シート２０の僅かな凸部分も、導水性シート２０の上から砂１６が被せられることで平坦化されることとなり、競技への影響は更に小さく抑えられることとなる。
【００１８】
そして、上記のように給水管１８が競技に与える影響が小さく抑えられることで、給水管１８をグラウンド１０の端部に限らず、任意の位置に設けることができる。したがって、給水管１８を適宜に配置することにより、導水性シート２０を均一に湿潤させて、グラウンド１０の全体にわたって適切な湿潤状態を維持することが可能となる。また、水供給が部分的に過剰となるのを防止できるため、水の使用量を削減することもできる。
【００１９】
また、給水管１８の配設位置がグラウンド端部に限られる場合に比べて、給水管１８からグラウンド１０の各位置までの距離を小さくできるので、給水管１８へ通水してからグラウンド１０の各位置に水が供給されるまでの時間を短くすることができる。このため、必要なときに必要な量だけ応答性良くグラウンド１０への水供給を行なうことが可能となって、きめ細かな湿潤度の制御を実現することができる。
【００２０】
また、導水性シート２０を給水管１８の上側から敷設するだけで、確実に導水性シート２０と給水管１８とを接続して給水を行なえるので、両者を接続するための施工の手間も不要となる。
【００２１】
さらに、導水性シート２０が均一に湿潤されるので、砂１６自体がある程度の導水性を有することと相俟って、図２に示したように、帯状の導水性シート２０を適宜な間隔で配置しても、グラウンド１０の全体を湿潤させることが可能である。したがって、本実施形態では、導水性シート２０の必要面積を減らして、コスト削減を図ることもできる。
【００２２】
【発明の効果】
本発明によれば、導水性シートへ給水するための給水管が、地表面上で行なわれる各種競技の支障となるのを抑えることができる。
【図面の簡単な説明】
【図１】本発明の一実施形態を示す断面図である。
【図２】給水管および導水性シートの配置を示す平面図である
【符号の説明】
１０  グラウンド
１２  舗装層
１４  人工芝
１６  砂
１８  給水管
２０  導水性シート
【図１】
0003919524.tif 000002
【図２】
0003919524.tif 000003